(57)【要約】【課題】本発明は、ハウジング内の空間を十分に利用することができるバッテリーを提供することを目的とする。【解決手段】本発明に係るバッテリーは、ハウジング及びハウジング内に設置される複数の芯材を備える。ハウジングは少なくとも１つの傾斜する側面を備え、ハウジングの体積は側面の延伸方向に沿って徐々に小さくなり、複数の芯材は側面の延伸方向に沿って配列され、複数の芯材の長さは側面の延伸方向に沿って徐々に短くなり、複数の芯材の一端は側面にそれぞれ隣接する。【選択図】図１
2014154552.tif 000002
【特許請求の範囲】
【請求項１】
ハウジング及び前記ハウジング内に設置される複数の芯材を備えてなるバッテリーであって、前記ハウジングは少なくとも１つの傾斜する側面を備え、前記ハウジングの体積は前記側面の延伸方向に沿って徐々に小さくなり、前記複数の芯材は前記延伸方向に沿って配列され、前記複数の芯材の長さは前記延伸方向に沿って徐々に短くなり、前記複数の芯材の一端は前記側面にそれぞれ隣接することを特徴とするバッテリー。
【請求項２】
前記ハウジング内に設置される回路基板を更に備え、前記複数の芯材は前記回路基板を介して互いに接続されることを特徴とする請求項１に記載のバッテリー。
【請求項３】
前記複数の芯材は前記延伸方向に沿って次第に配列される第一列の芯材及び第一列より短い第二列の芯材を備え、第二列の芯材の容量は第一列の芯材の容量より小さいことを特徴とする請求項１又は２に記載のバッテリー。
【請求項４】
前記ハウジングは、第一側面と、第二側面と、前記第二側面より短い第三側面と、第四側面と、を備え、前記第二側面の一端は前記第一側面の一端に連接され、前記第三側面の一端は前記第一側面の前記一端の反対側の他端に連接され、前記第四側面の一端は、前記第二側面の前記一端の反対側の他端に連接され、前記第四側面の前記一端の反対側の他端は、前記第三側面の前記一端の反対側の他端に連接され、前記第四側面は前記傾斜する側面を備え、前記延伸方向は前記第二側面から前記第三側面に向かう方向であることを特徴とする請求項１から３の何れか一項に記載のバッテリー。
【請求項５】
更に、第一列の芯材より長い第三列の芯材を備え、前記第四側面は、前記第二側面のうちの前記第一側面から離れた前記他端から前記第三側面側に向かって垂直に延伸する第一段と、前記第三側面のうちの前記第一側面から離れた前記他端から前記第一段側に向かって斜めに延伸し且つ前記第一段のうちの前記第二側面から離れた端に連接される第二段と、を備え、前記傾斜する側面は前記第四側面の前記第二段であり、前記第三列の芯材の一端は前記第四側面の前記第一段に隣接することを特徴とする請求項４に記載のバッテリー。
【発明の詳細な説明】
【技術分野】
【０００１】
本発明は、バッテリーに関するものである。
【背景技術】
【０００２】
従来の技術において、バッテリーはハウジング及びハウジング内に収容され且つ同じサイズを有する複数の芯材を備える。各芯材が矩形を呈し、ハウジングも矩形を呈する場合、芯材はハウジング内の空間を十分利用できる。しかし、図１に示したように、ハウジングが台形又は不規則な形を呈する場合、芯材とハウジングの傾斜する側面との間には、大きな隙間が生じ、ハウジング内に無駄な空間が形成される。
【発明の概要】
【発明が解決しようとする課題】
【０００３】
本発明の目的は、前記問題を解決し、ハウジング内の空間を十分に利用することができるバッテリーを提供することである。
【課題を解決するための手段】
【０００４】
上記目的を達成するために、本発明に係るバッテリーは、ハウジング及びハウジング内に設置される複数の芯材を備える。ハウジングは少なくとも１つの傾斜する側面を備え、ハウジングの体積は側面の延伸方向に沿って徐々に小さくなり、複数の芯材は側面の延伸方向に沿って配列され、複数の芯材の長さは側面の延伸方向に沿って徐々に短くなり、複数の芯材の一端は側面にそれぞれ隣接する。なお、「傾斜する側面」とは、ハウジングの平面視において隣接する他の側面に対して非垂直な側面、すなわち、隣接する他の側面とのなす角が鈍角または鋭角となる側面を意味する。
【発明の効果】
【０００５】
本発明に係るバッテリーは、芯材の長さが傾斜する側面に沿って異なるため、各芯材と側面との間に生じる隙間が小さくなるので、ハウジング内の空間を十分に利用できる。
【図面の簡単な説明】
【０００６】
【図１】従来のバッテリーの平面図である。
【図２】本発明の第一実施形態に係るバッテリーの平面図である。
【図３】本発明の第二実施形態に係るバッテリーの平面図である。
【発明を実施するための形態】
【０００７】
図２に示したように、本発明の実施形態に係るバッテリーは、ハウジング１０Ａと、ハウジング１０Ａ内に設置された芯材アセンブリと、回路基板３０と、を備える。芯材アセンブリは第一芯材２１Ａと、第二芯材２２Ａと、第三芯材２３Ａと、第四芯材２４Ａと、第五芯材２５Ａと、第六芯材２６Ａと、を備える。
【０００８】
ハウジング１０Ａは、第一側面１１Ａと、第二側面１２Ａと、第二側面１２Ａより短い第三側面１３Ａと、第四側面１４Ａと、を備える。第二側面１２Ａと第三側面１３Ａとは互いに平行し且つ第一側面１１Ａの両端にそれぞれ垂直に連接される。第四側面１４Ａは第二側面１２Ａのうちの第一側面１１Ａから離れた端から第三側面１３Ａ側に向かって垂直に延伸する第一段と、第三側面１３Ａのうちの第一側面１１Ａから離れた端から第一段側に向かって斜めに延伸し且つ第一段のうちの第二側面１２Ａから離れた端に連接される第二段と、を備える。即ち、第二側面１２Ａから第三側面１３Ａに向けて、ハウジング１０Ａの体積は徐々に小さくなる。
【０００９】
本実施形態において、第一芯材２１Ａ、第二芯材２２Ａ、第三芯材２３Ａは、回路基板３０を介して並列接続され、第一側面１１Ａに隣接し且つ第一側面１１Ａと平行する第一モジュールを形成する。第四芯材２４Ａ、第五芯材２５Ａ、第六芯材２６Ａは回路基板３０を介して並列接続され、第一側面１１Ａから離れ且つ第一側面１１Ａと平行する第二モジュールを形成する。第一モジュールは、回路基板３０を介して第二モジュールに直列連結される。回路基板３０は、第一モジュールと第二モジュールとの間に設置される。第一モジュールの幅（第一側面１１Ａに沿う方向の長さ）は第二モジュールの幅と同じである。第二芯材２２Ａと第五芯材２５Ａとは回路基板３０を挟んで互いに対向する第一列となり、第三芯材２３Ａと第六芯材２６Ａとは回路基板３０を挟んで互いに対向し、第三側面１３Ａと隣接する第二列となり、第一芯材２１Ａと第四芯材２４Ａとは回路基板３０を挟んで互いに対向し、第二側面１２Ａと隣接する第三列となる。第一列は、第二列と第三列との間に位置する。第一列の長さ（第二側面１２Ａに沿う方向の長さ）は第三列の長さより短いが第二列より長い。第四芯材２４Ａの底面は、第四側面１４Ａの第一段と隣接する。第五芯材２５Ａ及び第六芯材２６Ａは、第四側面１４Ａの第二段に隣接する。
【００１０】
全ての芯材は矩形を呈し、且つ同じ幅（第一側面１１Ａに沿う方向の長さ）を有する。第一芯材２１Ａから第四芯材２４Ａまでの全ての芯材の長さ（第二側面１２Ａに沿う方向の長さ）は同じであるが、第五芯材２５Ａの長さは、第四芯材２４Ａの長さより短いが、第六芯材２６Ａより長い。第一芯材２１Ａから第四芯材２４Ａまでの全ての芯材のサイズ及び容量は同じであり、例えば、３５５８１２０（３．５ｍｍ×５８ｍｍ×１２０ｍｍ）規格の芯材である。第五芯材２５Ａのサイズ及び容量は第四芯材２４Ａのサイズ及び容量よりそれぞれ小さいが、第六芯材２６Ａのサイズ及び容量よりそれぞれ大きい。例えば、第五芯材２５Ａは、３５５５１１２規格の芯材であり、第六芯材２６Ａは、３５５５１０９規格の芯材である。これによって、ハウジング１０Ａの内部空間をできるだけ利用して、バッテリーの容量を向上することができる。
【００１１】
図３に示したように、本発明の第二実施形態において、ハウジング１０Ｂ内には第一芯材２１Ｂと、第二芯材２２Ｂと、第三芯材２３Ｂと、第一芯材２１Ｂと同じサイズ及び容量を有する第四芯材２４Ｂと、第二芯材２２Ｂと同じサイズ及び容量を有する第五芯材２５Ｂと、第三芯材２３Ｂと同じサイズ及び容量を有する第六芯材２６Ｂと、を備える。
【００１２】
ハウジング１０Ｂは、第一側面１１Ｂと、第二側面１２Ｂと、第二側面１２Ｂより短い第三側面１３Ｂと、第四側面１４Ｂと、備える。第二側面１２Ｂと第三側面１３Ｂとは互いに平行する。第一側面１１Ｂは第四側面１４Ｂと線対称である。第一側面１１Ｂ及び第四側面１４Ｂは、第二側面１２Ｂの両端から第三側面１３Ｂ側に向かってそれぞれ垂直に延伸する第一段と、第三側面１３Ｂの両端から第二側面１２Ｂ側に向かってそれぞれ斜めに延伸し且つ対応する第一段のうちの第二側面１２Ｂから離れた端にそれぞれ連接される第二段と、をそれぞれ備える。即ち、第二側面１２Ｂから第三側面１３Ｂに向けて、ハウジング１０Ｂの面積は徐々に小さくなる。
【００１３】
第二実施形態において、第二芯材２２Ｂのサイズ及び容量は第一芯材２１Ｂのサイズ及び容量よりそれぞれ小さいが、第三芯材２３Ｂのサイズ及び容量よりそれぞれ大きい。例えば、第一芯材２１Ｂの規格は３５５８１２０であり、第二芯材２２Ｂの規格は３５５５１１２であり、第三芯材２３Ｂの規格は３５５５１０９である。第二側面１２Ｂに隣接する第一芯材２１Ｂ、第三側面１３Ｂに隣接する第三芯材２３Ｂ、第一芯材２１Ｂと第三芯材２３Ｂとの間に位置する第二芯材２２Ｂは、第一側面１１Ｂに隣接する。第二側面１２Ｂに隣接する第四芯材２４Ｂ、第三側面１３Ｂに隣接する第六芯材２６Ｂ、第四芯材２４Ｂと第六芯材２６Ｂとの間に位置する第五芯材２５Ｂは、第四側面１４Ｂに隣接する。これによって、ハウジング１０Ｂの内部空間をできるだけ利用して、バッテリーの容量を向上することができる。
【符号の説明】
【００１４】
１０Ａ、１０Ｂ  ハウジング
１１Ａ、１１Ｂ  第一側面
１２Ａ、１２Ｂ  第二側面
１３Ａ、１３Ｂ  第三側面
１４Ａ、１４Ｂ  第四側面
２１Ａ、２１Ｂ  第一芯材
２２Ａ、２２Ｂ  第二芯材
２３Ａ、２３Ｂ  第三芯材
２４Ａ、２４Ｂ  第四芯材
２５Ａ、２５Ｂ  第五芯材
２６Ａ、２６Ｂ  第六芯材
３０  回路基板
【図１】
2014154552.tif 000003
【図２】
2014154552.tif 000004
【図３】
2014154552.tif 000005